(57)【要約】【課題】超低スタック高さのグリップ領域を有する着脱可能な片側締着具を開示する。【解決手段】締着具は、収容体と、ネジ山付きのネジと、駆動ナットと、コレット本体部とを含む。収容体は、頭部分と、収容体の頭部分から延在する胴部とを有し、胴部は少なくとも２つの長手方向のスロットを形成する。収容体の中に配置されるネジ山付きのネジは、収容体の頭部分に回転可能に収められる頭部分を有する。駆動ナットは、ネジ山付きのネジに回転可能に結合され、収容体に対して回転が拘束される。コレット本体部は、内向きに収束する一対のコレット本体部の脚部を有する。コレット本体部の脚部はそれぞれ、締付のために、収容体の頭部分に対してワークを押し付けるために、長手方向のスロットより外側径方向に延在可能な脚部先端を有する。【選択図】図１
2019508647.tif 000002
【特許請求の範囲】
【請求項１】
締着具であって、
頭部分と、前記頭部分から延在する胴部とを有する収容体を備え、前記胴部は少なくとも２つの長手方向のスロットを形成し、
前記収容体に嵌入されるネジ山付きのネジを備え、前記ネジ山付きのネジは、前記収容体の前記頭部分に回転可能に収められた部分を有しており、
前記ネジ山付きのネジに回転可能に結合され、前記収容体に対して回転が拘束された駆動ナットと、
前記駆動ナットに動作可能に連結されるコレット本体部と、を備えることを特徴とし、
前記コレット本体部は、中心軸を有する基部と、前記中心軸の方へ収束している少なくとも一対の脚部とを備え、
前記コレット本体部の前記脚部はそれぞれ、前記ネジ山付きのネジが前記駆動ナットに螺合して係合し、回転することにより前記駆動ナットを前記収容体の前記頭部分の方へ長手方向に移動させ、前記ネジ山付きのネジによって外向き径方向に拡張する脚部先端を備え、
半径方向に拡張された前記脚部先端は、締付のために、前記収容体の前記頭部分に対してワークを押し付けることを特徴とする、締着具。
【請求項２】
前記駆動ナットと前記ネジ山付きのネジ間の螺合を容易にするために、前記コレット本体部に押圧接触するバネを更に備えることを特徴とする、請求項１記載の締着具。
【請求項３】
前記バネは、ブロックを介して前記コレット本体部に圧力を加えることを特徴とする、請求項２記載の締着具。
【請求項４】
前記バネは、前記胴部の遠位端部に位置するキャップに収められることを特徴とする、請求項２記載の締着具。
【請求項５】
前記駆動ナットが、前記収容体の前記長手方向のスロットと位置合わせされた、半径方向に向けられる少なくとも一対の貫通穴を備えることを特徴とする、請求項１記載の締着具。
【請求項６】
前記脚部先端は、前記コレット本体部の前記脚部が外向き径方向に拡張し、貫通穴を通り抜けるためにサイズ決めされることを特徴とする、請求項５記載の締着具。
【請求項７】
前記ネジ山付きのネジは、前記ネジ山付きのネジに対し小径化されたネジ先端を備えることを特徴とする、請求項１記載の締着具。
【請求項８】
前記ネジ先端は、ネジ径が徐々に減少する傾斜部を更に備えることを特徴とする、請求項７記載の締着具。
【請求項９】
前記ネジ先端は、前記コレット本体部の前記脚部が外向き半径方向に拡張される前に、前記コレット本体部の前記脚部に適合するようサイズ決めされることを特徴とする、請求項７記載の締着具。
【請求項１０】
近位ワークと遠位ワークとを一緒に固定する方法であって、前記方法は、
前記近位ワークにある近位ワーク孔と、前記遠位ワークにある遠位ワーク孔とに、締着具収容体を嵌入するステップを備え、
前記締着具収容体は、前記近位ワーク孔より大きい頭部分を有し、
前記締着具収容体内に、ネジ山付きのネジを配置するステップを備え、
前記ネジ山付きのネジの頭部分は、前記ネジ山付きのネジの回転を可能にする駆動インタフェースを有し、
駆動ナット及び結合されたコレット本体部を前記締着具収容体の前記頭部分の方へと長手方向に移動させるため前記駆動ナットを前記ネジ山付きのネジに螺合係合するステップと、を備え、
前記駆動ナットは、前記収容体に対して回転が拘束され、
前記コレット本体部は、基部と、半径方向に収束するよう傾く少なくとも一対の脚部とを備え、
前記コレット本体部の前記脚部はそれぞれ、前記ネジ山付きのネジによって前記遠位ワーク孔を超えて、外向き半径方向に突出する脚部先端を有し、
前記コレット本体部が前記締着具収容体の前記頭部分へ向かって移動するとき、突出した前記脚部先端と前記収容体の前記頭部分とで、前記遠位ワークと前記近位ワークとを押さえ込むことを特徴とする、方法。
【請求項１１】
前記駆動インタフェースは、前記締着具収容体の前記頭部分内に回転可能に収められることを特徴とする、請求項１０記載の方法。
【請求項１２】
前記ネジ山付きのネジは、前記ネジ山付きのネジに対し小径化されたネジ先端を備えることを特徴とする、請求項１０記載の方法。
【請求項１３】
前記ネジ先端は、ネジ径が徐々に減少する傾斜部を更に備えることを特徴とする、請求項１２記載の方法。
【請求項１４】
前記ネジ先端は、前記コレット本体部の前記脚部が外向き半径方向に拡張する前に、前記コレット本体部の前記脚部に適合するよう、サイズ決めされることを特徴とする、請求項１２記載の方法。
【請求項１５】
前記コレット本体部は、前記駆動ナットにある半径方向に向けられた貫通穴に、前記コレット本体部の前記脚部の前記脚部先端それぞれを配置させることによって、前記駆動ナットに連結されることを特徴とする、請求項１５記載の方法。
【請求項１６】
前記駆動ナットは、前記駆動ナットと前記ネジ山付きのネジ間での螺合を容易にするために、バネにより、前記ネジ山付きのネジに押圧接触されることを特徴とする、請求項１２記載の方法。
【請求項１７】
バネは、前記締着具収容体の遠位端部にあるキャップによって、収められることを特徴とする、請求項１６記載の方法。
【請求項１８】
締着具であって、前記締着具は、
頭部分と、少なくとも２つの前記長手方向のスロットとを有する収容体と、
円筒状の前記収容体に回転可能に収められるネジ山付きのネジと、
前記収容体の中に配置され、前記ネジ山付きのネジに連結するコレット本体部とを備え、
前記コレット本体部は、前記収容体に対して回転が拘束され、前記長手方向のスロットに沿って摺動可能に移動可能であり、
前記コレット本体部は、内向きに収束するよう傾けられる、少なくとも一対の脚部を備え、
前記脚部それぞれは、前記ネジ山付きのネジが前記脚部内側に入るときに、前記ネジ山付きのネジによって前記長手方向のスロットの外側まで半径方向に押される脚部先端を有し、
半径方向に拡張された前記脚部先端は締付のために、前記収容体の前記頭部分に対して、ワークを押し付けることを特徴とする、締着具。
【請求項１９】
前記ネジ山付きのネジは、前記ネジ山付きのネジに対し小径化されたネジ先端を備えることを特徴とする、請求項１８記載の締着具。
【請求項２０】
前記ネジ先端は、前記コレット本体部の前記脚部が外向き半径方向に拡張される前に、前記コレット本体部の前記脚部に適合するよう、サイズ決めされることを特徴とする、請求項１９記載の締着具。
【発明の詳細な説明】
【技術分野】
【０００１】
本発明は概して、着脱可能な片側締着具に関し、そしてより詳しくは、低いスタック（積層）高さのグリップ領域を有する着脱可能な片側締着具に関する。
【背景技術】
【０００２】
締着具は、２つ以上の対象物を機械的に接合又は固定する部品である。
締着具は一般的には、永続はしない接合状態を作り上げるものであり、そして、結合しているワークに損傷を与えずに取外し又は分解可能である。締着具は、隠れた位置又は見える位置で用いることができる。締着具は、様々な厚みのワークを固定するのに適応できる必要がある。特定の状況では、締着具係合後に、締着具の頭部がワークを越えて突出しない必要がある。
【０００３】
従って、調節可能なグリップ領域と薄型の頭部とを備える締着具及び、締着具の組立体を有することは望ましい。
【発明の概要】
【課題を解決するための手段】
【０００４】
本開示の基本的な理解を読み手に提供するために、簡略化した本発明の概要を以下に示す。
本発明の概要は、本開示の広範囲な概要ではなく、そして、鍵となる／重要な本発明の要素を特定しないし、また、本発明の範囲を詳細に説明するものではない。
本概要の唯一の目的は、後で示されるより詳細な説明の導入部として、簡略化された形で本願明細書に開示される概念をいくらか示すことである。
【０００５】
本出願の発明は、超低スタック高さのグリップ領域を有する着脱可能な片側締着具（片側から連結する部材）を目的とし、そして特に、締着具の近位端部上に薄型の頭部を有するこの種の締着具を目的とする。
本発明による締着具は、少なくとも第１の直径を有する近位孔を規定する近位ワーク（ワークピース）と、第２の直径を有する遠位孔を規定する遠位ワーク（ワークピース）とを押しつけ、結合する。そして、少なくとも締着具の一部は、両方の孔を通過する
【０００６】
本発明の締着具又は組立体は、近位端部の頭部分と、そこから遠位へ延在する胴部と、胴部外径と、内側のプライマリボア（穴）の径と、実質的に胴部の長さだけ延在する、胴部に形成される少なくとも２つの実質的に長手方向のスロットと、を有する一般的には円筒状の収容体を含み、そして、胴部外径は、いずれのワーク穴径よりも小さい。
多くの実施例において、２つの長手方向のスロットは向かい合った方向にあり、すなわち、直径方向の反対の位置にある。さらに、締着具又は組立体のさまざまな実施例には、３つ以上のスロット、好適にはそれぞれ円周方向に等距離で位置するスロットが含まれる。
【０００７】
添付の図面と関連して検討される以下の詳細な説明を参照することで、多数の添付図面と共に本発明の特徴がよりよく理解される。
【０００８】
本明細書は以下の詳細な説明により、よりよく理解され、そして詳細な説明は、添付の図面を参照しながら読まれる。
【図面の簡単な説明】
【０００９】
【図１】着脱可能な片側締着具の、側面図における第１実施例である。
【図２】図１に示される着脱可能な片側締着具の、締着具頭部から見た端面図である。
【図３】クランプ脚部が係合されていない、図１に示される着脱可能な片側締着具の断面図である。
【図４】クランプ脚部が係合されていない、図１に示される着脱可能な片側締着具の側面図である。
【図５】図４に示される着脱可能な片側締着具の締着具頭部の図である。
【図６】コレット及び駆動ナットを前に押し出すために圧縮されているバネを示す、着脱可能な片側締着具の局所的な断面図である。
【図７】コレット及び駆動ナットを前に押し出すために圧縮されているバネを示す、着脱可能な片側締着具の側面図である。
【図８】図７に示される着脱可能な片側締着具の断面図である。
【図９】着脱可能な片側締着具の別の側面図であり、バネが展開しキャップをコレットに対して押圧している様を示す。
【図１０】図９に示される着脱可能な片側締着具の断面図である。
【図１１】クランプ脚部が係合された、着脱可能な片側締着具の側面図である。
【図１２】図１１に示される着脱可能な片側締着具の断面図である。
【図１３】、クランプ脚部が係合された、着脱可能な片側締着具の別の側面図である。
【図１４】図１３に示される着脱可能な片側締着具の断面図である。
【図１５】固定範囲の最大位置へ移動したクランプ脚部を有する、着脱可能な片側締着具の側面図である。
【図１６】図１５の着脱可能な片側締着具開示の断面図である。
【図１７】固定範囲の最大位置へ移動したクランプ脚部を有する、着脱可能な片側締着具の別の側面図である
【図１８】図１７に示される着脱可能な片側締着具の断面図である。
【図１９】係合前のクランプ脚部を示す、着脱可能な片側締着具の側面図及び断面図である。
【図２０】クランプ脚部に接触しており、すぐにクランプ脚部を拡張させることができるネジ先端を示す、着脱可能な片側締着具の側面図及び断面図である。
【図２１】拡張されているクランプ脚部を示す、着脱可能な片側締着具の側面図及び断面図である。
【図２２】超低スタック高さのグリップのための、固定範囲の最大位置にあるクランプ脚部を有する、着脱可能な片側締着具の側面図及び断面図である。
【図２３】図２３は、固定範囲の最大位置にあるクランプ脚部を有する、着脱可能な片側締着具の等角図である。
【図２４】クランプ脚部が拡張され、いつでも２つのワークを固定可能な、着脱可能な片側締着具の側面図である。
【図２５】２つのワークが一緒に固定される着脱可能な片側締着具の側面図である。
【図２６】クランプ脚部が拡張される前の、ネジ先端とコレット本体部の局所的な等角図である。
【図２７】ネジ先端と、クランプ脚部が拡張されたコレット本体部の局所的な等角図である。
【図２８】ネジ先端と、クランプ脚部が拡張されたコレット本体部の局所的な側面図である。
【図２９】締着具及び駆動ナットの局所的な等角図である。
【図３０】締着具及び駆動ナットの端面図である。
【図３１】締着具、ネジ、及び駆動ナットの局所的な等角図である。
【図３２】締着具頭部の端面図及び断面図である。
【発明を実施するための形態】
【００１０】
添付の図面において、類似した部品を示すために、同じ参照番号が用いられる。
【００１１】
添付の図面に関連して以下で設けられる詳細な説明は、本実施例を説明することを意図しており、本実施例を構築又は利用し得る限定された形式を表すことを意図していない。
詳細な説明は、実施例の機能と、実施例を構築し実行するためのステップのシーケンスについて記載する。しかし、同一或いは類似する機能及びシーケンスは、異なる実施例によって達成されることができる。
【００１２】
複数の図面における数字の引き出し線の末端部が、このセクションに記載される構造又は方法、参照又は目印に関連する場合は、この種の目的又は方法の説明文に対する、この種の構造又は方法、参照又は目印を代表して識別し関連させることを意図する。
用語は、特に言明されるか、その用語が使用される図面及び文脈からはっきりと明らかである場合を除いて、参照される目的又は方法の境界自体を定めたり定義することは意図しないし、そのように推定されるべきではない。
用語は、特に言明されるか、その用語が使用される図面及び文脈からはっきりと明らかである場合を除き、すべての用語及び視覚的補助には、本願明細書における開示の文脈と整合した、それらの一般的商業的及び／又は科学的な意味が与えられなければならない。
【００１３】
以上のことを念頭に置いた上で、以下の説明は、当業者が本請求項に係る発明の実施品を製造し、及び使用することができるよう提示される。
記載された例に対する様々な変更態様は、当業者にとって容易に明らかであり、そして、添付の請求の範囲に記載の、本願明細書に開示される一般的な原則は、本発明の精神と範囲から逸脱することなく他の実施例及びその応用に適用されることができる。
このように、クレームされる本発明は、開示及び／又は記載される実施例を限定することを意図しないし、限定すべきではなく、しかし、本明細書で開示される原則及び特性と整合した最も広い範囲が与えられる。
【００１４】
本出願の発明は、超低スタック高さのグリップ領域を有する着脱可能な片側締着具を目的とし、そして特に、締着具の近位端上に薄型の頭部を有するような締着具を目的とする。
本発明による締着具は、少なくとも第１の直径を有する近位孔を規定する近位ワークと、第２の直径を有する遠位孔を規定する遠位ワークとを押し付けて結合し、そして、少なくとも締着具の一部は両方の孔を通過する。
慣例として、締着具の頭部に隣接したワークは近位ワークと呼ばれ、そして、締着具の遠位端に隣接したワークは遠位ワークと呼ばれる。
さらにまた、挿入の従来モードでは、最初に近位ワーク孔を通り、それから最後に遠位ワーク孔を通る。積層構造を形成するのに、近位及び遠位ワークの間に任意の数の中間ワークが存在してもよい。
【００１５】
本発明の締着具又は組立体は概して、近位端部の頭部分及び、そこから遠位に延在する胴部と、胴部外径と、内部のプライマリ穴径と、胴部の長さに実質的に延在する、胴部に形成される少なくとも２つの実質的に長手方向のスロットと、を有する円筒状収容体を含み、そして胴部外径は、ワークの穴径よりも小さい。
多くの実施例において、２つの長手方向のスロットは向かい合う位置に、すなわち、直径方向に反対の位置にある。さらに、締着具又は組立体の様々な実施例には、３つ以上のスロット、好適には円周方向にそれぞれ等距離で位置するスロットが含まれる。
【００１６】
ネジ山付きのネジが収容体に嵌入される。ネジは、その近位端部に頭部分を有し、そしてその遠位端部には小径部（ネジ山付きであっても、なくてもよい）を有する。
ネジの頭部分は、収容体の頭部分に形成される凹所に適合するよう、好適には、しかし必然的にでないがサイズ決めされ、そして、組み立ての際に近位部分も遠位部分もどちらも収容体の端部を越えて延在しないよう、ネジの長さは好適には収容体の長さより短い。
【００１７】
締着具の組み立ての際に駆動ナットは、ネジ山付きのネジに回転できる状態で結合される。駆動ナットは外面と内面とを有する。内面は、ネジ山付きのネジと回転できる状態で結合するのに適している。
駆動ナットは一般的に円筒状形であるが、結合されるときに、その外面にある回転防止手段（「ＡＲＭ」）の第１部分により、収容体に対して回転が拘束される。
以下で詳述されるように、このＡＲＭの第１部分は、収容体の一部を形成するＡＲＭの第２部分に作用する。
【００１８】
上記に加え駆動ナットには、収容体の長手方向のスロットと位置合わせするのに適した、半径方向に向けられた少なくとも一対の貫通穴が規定されるので、コレット本体部の収容体外面の外側にある環境に貫通穴を露出させることができる。
【００１９】
コレット本体部は、駆動ナットに動作可能に連結される。コレット本体部は、中央軸線を有するコレット本体部の部分と、基準状態では、中央軸線へ向かって収束する少なくとも第１の一対のコレット本体の脚部とを含む。
次に各脚部は、脚部の軸方向が一致する状態では、通常コレット本体部の軸から半径方向に延在する、突起部分又は脚部先端を有する。
各脚部先端が、駆動ナットの貫通穴を介してナットの内部から外部まで通り抜けるよう、サイズ決めされる。このように、コレット本体部の脚部の一部分も、駆動ナットの内部に合うようサイズ決めされる。
【００２０】
組み立てられた状態では、対となっている貫通穴がある位置で測定される場合、脚部先端の最大外径が駆動ナットの外径以下となるように、ネジの遠位の小径部が収束する脚部間の空間を塞ぐ。
ナットがネジを（近位端部の方へ）進むと、大経部であるネジのネジ山部が、脚部間で次の変位を生じさせるために、収束する脚部間の空間に導入される。これによりよって、対となっている貫通穴の位置で測定される場合、脚部先端の最大外径は駆動ナットの外径より大きくなる。また、この最大外径は好適には、ワーク全てを加圧結合する間は遠位ワークの穴径よりも大きい。
【００２１】
多くの実施例において、収容体に形成される実質的に長手方向のスロットがその遠位端部まで延在するので、コレット本体部の意図しない損失を防止するために、締着具が組み立てられた状態では好適にはキャップ又は他の終端要素が収容体の遠位端部に配置される。
【００２２】
さらにまた、ネジの遠位端部には小径化された非ネジ山部が含まれ得るので、駆動ナットがネジを（遠位端部の方へ）下がると、駆動ナットはネジから分離する場合がある。この起こりうる課題に対処するために、収容体（存在する場合はキャップを含む）と駆動ナットの間に、付勢要素（バイアス部材）が存在する。
多くの実施例において、付勢要素は圧縮バネでもよい。そして、この付勢要素はコレット本体部と押圧接触し、そして好適には、コレット本体部の脚部先端と駆動ナットの貫通穴との間の相互作用により、コレット本体部は次に駆動ナットと押圧接触する。
【００２３】
別の観点から言えば本発明は、超低スタック高さ（積層高さ）のグリップ領域を有する、組み立てられた着脱可能な片側締着具にある、選択された部品を対象とする。これらの部品は、収容体、コレット本体部、及び駆動ナットを含む。
【００２４】
前述したように、本発明の収容体は通常は円筒状形である。そして、外径と、内径と、そこに形成される少なくとも２つの実質的に長手方向のスロットとを含む。このスロットは好適には対向しており、実質的に収容体の近位端部から遠位端部まで延在する。
スロットにより、露出した部分的な断面が収容体に形成され、そして、駆動ナット又はコレット本体部（好適には駆動ナット）の１つに対する、２点式ＡＲＭの１部分を形成する。
ＡＲＭのこの形態は、本明細書においては部分的なＡＲＭと称される。
締着具の最大限の稼働範囲が意図される場合、好適には収容体全長に亘って実質的に延在するスロット（従って、結果として生じる部分的な断面）を有する。
【００２５】
しかし、収容体ＡＲＭが、収容体の露出した部分的な断面のみに位置する必要はない点に留意すべきである。収容体の相対的な回転に対して駆動ナットを調整するための別の又は追加の手段は、収容体の内面に非円形断面形状を使用することを含む（本明細書において、表面ＡＲＭと称される）。
【００２６】
締着具の組み立て及び、コレット本体部の収容体への導入を容易にするために、締着具の遠位端部は開いていてもよい。
このように、コレット本体部及び任意の付勢要素（例えば圧縮バネ）を収容体に導入することができる。そして、組み立ての後は、永久に（例えばスエージ加工や、接着、溶接等）、又は半永久的に（例えばネジで）、キャップが閉じられる。
【００２７】
用途によって収容体の近位端は、近位ワークに形成される傾斜した凹所内に適合するように、傾斜した頭部を有することができる。そのため、超薄型又は平らな頭部の仮留め締着具を作成することができる。
加えて、傾斜した頭部は、従来のキャップヘッドのねじ頭を受けるために、そこに形成される従来の円筒穴を有することができる。
締付操作の間、収容体の回転を防止するために、収容体の意図しない回転を防止するツールを受ける、１つ以上のツール接合部分が、傾斜した頭部に形成されてもよい。
【００２８】
本発明による仮留め締着具を使用する方法に関して、この種の方法は、
脚部先端がリトラクト位置（収束位置）にあるように、コレット本体部の脚部のネジ接触部分がネジの小径部にあることを確実にするステップと、
全てのワーク孔に締着具の遠位端部を嵌入するステップと、
駆動ナットが締着具の近位端部の方へ並進できるように、ネジを回転させるステップと（このため、コレット本体部の脚部は半径方向に移動し、コレット本体部の脚部先端が延在するよう移動する）、
コレット本体部の脚部先端と遠位ワークの間で圧縮した接触が生じるまで、締着具の近位端部の方へ駆動ナットを移動させ続けるステップと、を含む。
【００２９】
この特許の目的のために、用語「ａｒｅａ（域）」、「ｂｏｕｎｄａｒｙ（境界）」、「ｐａｒｔ（一部）」、「ｐｏｒｔｉｏｎ（部分）」、「ｓｕｒｆａｃｅ（表面）」、「ｚｏｎｅ（ゾーン）」及びそれらの同義語、同意語、及び複数形が、本願明細書に記載されるように、そして、例として用いることができ、そして、記載される項目及び／又は方法に関して、図形参照または目印を提供することを目的とする。
用語が特に言明されるか、もしくはその用語が使用される複数の図面及び文脈からはっきりと明らかである場合を除き、これら及び類似又は同等の用語は、参照した項目及び／又は方法の要素自体を限定又は定義することを意図しないし、推測されるべきではない。
【００３０】
図１―３では、さまざまな図を用いて着脱可能な片側締着具１００の実施例を示す。
具体的には、図１はコレット本体部の側面図であり、図２は締着具頭部から見た端面図であり、そして、図３は断面図である。
【００３１】
着脱可能な片側締着具１００は、締着具（締着本体部）１１０、ネジ１２０、駆動ナット１３０、コレット本体部１４０、ブロック１５０、バネ１６０、及びキャップ１７０を含む。
締着具１１０は、その近位端部に収容体の頭部分１１２及びそこから遠位に延在する胴部１１４と、胴部の外径と、内側のプライマリ穴径と、胴部の長さに亘り実質的に延在する、胴部に形成される少なくとも２つの実質的に長手方向のスロット１１５と、を有する概して円筒状収容体である。
胴部１１４の外径は、どのワークの穴径より小さい。
多くの実施例において、２つの長手方向のスロットは相対する位置に、すなわち、径方向に反対の位置にある。さらに、締着具又は組立体のさまざまな実施例には、３つ以上のスロット、好適には円周方向にそれぞれ等距離で位置するスロットが含まれる。
【００３２】
ネジ山付きのネジ１２０は、締着具収容体１１０に嵌入される。ネジ１２０は、その近位端部に頭部分１２２を、そして、その遠位端部に小径部である先端１２４（ネジ山付きでも、なくてもよい）を有する。
頭部分１２２は、好適には、しかし必須ではないが、収容体の頭部分１１２で形成される凹所と合致するように、サイズ決めされる。そして、組み立ての際に、近位部分も遠位部分も収容体の端部を越えて延在しないように、ネジの長さは好適には収容体の長さより短い。
いくつかの実施例において、先端１２４は、先端の直径に向かってネジの直径が徐々に減少する傾斜部１２６を有する。
いくつかの実施例において、ネジ山付きのネジ１２０の頭部分１２２は、係止リング１１３（図２５に示される）によって、収容体の頭部分１１２に回転できる状態で収められる。
【００３３】
締着具が組み立てられるときに、駆動ナット１３０はネジ山付きのネジ１２０に回転可能に連結する。駆動ナット１３０は、外面と、内面とを有する。内面は、ネジ山付きのネジが回転可能な状態で結合するのに適している。
駆動ナットは概して円筒状形を有するが、結合されるときに、その外面にある回転防止手段（「ＡＲＭ」）の第１部分によって、収容体１１０に対する回転が拘束される。
後で詳述するように、ＡＲＭのこの第１部分は、収容体の一部をなすＡＲＭの第２部分に作用する。
【００３４】
上記に加え駆動ナット１３０は、収容体の長手方向のスロット１１５と位置合わせするのに適した、半径方向に向けられた、少なくとも一対の貫通穴１３２を規定するので、コレット本体部の収容体外面の外側にある環境に貫通穴を露出させることができる。
【００３５】
コレット本体部１４０は、駆動ナット１３０に動作可能に連結される。コレット本体部は、中心軸を有するコレット本体部の基部１４１と、基準状態では中心軸へ向かって収束する第１の少なくとも一対のコレット本体部の脚部１４２とを含む。
コレット本体部の脚部１４２は、脚部の間に複数のコレット本体部のスロット１４４を規定する。次に脚部はそれぞれ、脚部の軸方向が一致する状態では、通常コレット本体部の軸から半径方向に延在する突起部分又は脚部先端１４６を有する。各脚部先端１４６は、駆動ナット貫通穴１３２を介してナットの内部から外部へ通り抜けるよう、サイズ決めされている。このように、コレット本体部の脚部の一部分も、駆動ナットの内部に合う（合致する）ようサイズ決めされる。
【００３６】
組み立て状態では、対となっている貫通穴の位置で測定される場合に、脚部先端１４６の最大外径が駆動ナットの外径以下となるように、ネジ先端１２４は、これらの収束する脚部１４２間の空間を占める。
図３は、まだ螺合されていない駆動ナット１３０及びネジ１２０を示す。
ネジ先端１２４は小径化されているので、コレット本体部の脚部１４２及び脚部先端１４６が収束したままの状態となる。
ナットがネジを（近位端部の方へ）進むと、ネジ１２０の径がより大きなネジ山部が、収束する脚部間の空間に導入され、脚部間でさらに変位が生じる。これにより、対となっている貫通穴の位置で測定される場合、脚部先端１４６の最大外径は駆動ナット１３０の外径より大きくなる。また、この最大外径は好適には、ワーク全てを加圧結合する間は遠位ワークの穴径よりも大きい。
【００３７】
多くの実施例において、収容体１１０に形成される実質的に長手方向のスロット１１５が、その遠位端部へ延在するので、締着具を組み立てる際には、コレット本体部の意図しない損失を防止するために、キャップ１７０又は他の終端要素（部材）が、好適には収容体遠位端部に位置する。
【００３８】
さらにまた、ネジ１２０の遠位端部には小径化された非ネジ山部（先端１２４）が含まれ得るので、駆動ナットがネジを（遠位端部の方へ）下がると、駆動ナット１３０はネジから分離する場合がある。この起こりうる課題に対処するために、収容体（存在する場合はキャップを含む）と駆動ナットとの間に、付勢要素（部材）を有する。
多くの実施例において、付勢要素は圧縮バネ１６０でもよい。そして、この付勢要素はコレット本体部と押圧接触し、そして、好適にはコレット本体部の脚部先端と駆動ナットの貫通穴との間の相互作用により、コレット本体部は次に駆動ナット１３０と押圧接触する。
【００３９】
別の観点から言えば本発明は、超低スタック高さのグリップ領域を有する組み立てられた着脱可能な片側締着具にある、選択される部品を目的とする。これらの部品は、少なくとも収容体１１０、コレット本体部１４０、及び駆動ナット１３０を含む。
【００４０】
前述したように、本発明の収容体は概して円筒状形である。そして、外径と、内径と、そこに形成される少なくとも２つの実質的に長手方向のスロットとを含む。このスロットは好適には対向しており、実質的に収容体の近位端部から遠位端部まで延在する。
スロットにより露出した部分的な断面が収容体に形成され、そして、駆動ナット又はコレット本体部（好適には駆動ナット）の１つに対する、２点式ＡＲＭの１部分を形成する。ＡＲＭのこの形態は、本明細書において、断面ＡＲＭと称される。
締着具の最大限の稼働範囲が意図される場合、収容体全長に亘って実質的に延在するスロット（従って、結果として生じる断面）を有することがことは望ましい。
【００４１】
しかし、収容体ＡＲＭが、収容体の露出した部分的な断面にのみに位置する必要はない点に留意すべきである。収容体との相対的な回転に対して駆動ナットを調整するための別の又は追加の手段は、収容体の内面に非円形断面形状を使用することを含む（本明細書において、表面ＡＲＭと称される）。
【００４２】
図４―２３では、固定処理における、様々な図を用いた着脱可能な片側締着具１００の実施例を示す。
【００４３】
締着具の組立て及び、収容体１１０へのコレット本体部１４０の導入を容易にするために、収容体１１０の遠位端部は、初めは開いていてもよい。
このように、コレット本体部１４０及び任意の付勢要素１６０（例えば圧縮バネ）を収容体に導入することができる。そして、組み立ての後は、永久に（例えばスエージ加工や、接着、溶接等）、又は半永久的に（例えばネジで）、キャップ１７０が閉じられる。
【００４４】
用途によって、収容体の近位端は、近位ワーク３１０に形成される傾斜した凹所内に適合するように、傾斜した頭部を有することができる。
締着具収容体は、近位ワーク３１０の近位ワーク孔３１２と、遠位ワーク３２０の遠位ワーク孔３２２とに嵌入される。
固定処理が終わると、収容体の頭部１１２が近位ワーク３１０と同一平面上となるように、近位ワーク孔３１２は傾斜した凹所を有する。このように、超薄型又は平らな頭部の仮留め締着具を作成することができる。
加えて、傾斜した頭部は、従来のキャップヘッドのねじ頭１２２を受けるために、そこに形成される従来の円筒穴１１３を有することができる。
ハウジングの代わりにねじ頭１２２を回転させることによって、収容体の頭部分１１２と近位ワークと間の回転摩滅は、回避され得る。
締付操作の間、収容体の回転を防止するために、収容体の意図しない回転を防止するツールを受ける、１つ以上のツール接合部分が、傾斜した頭部に形成され得る。
【００４５】
ネジ１２０及び駆動ナット１３０を螺合させる前に、圧縮バネ１６０は、（直接又はブロック１５０を介して）コレット本体部１４０を押し、そして駆動ナット１３０をネジ先端１２４に押しつける。このような押圧は、駆動ナット１３０とネジ１２０との間での最初の螺合を可能にするか又は容易にする。螺合が確立した後、ねじ頭１２２上の駆動インタフェース１２３（駆動面）を回転させることによって、ネジ１２０は回転することができる。
収容体１１０に対して駆動ナット１３０の回転が拘束され、ネジ１２０が更に回転すると、駆動ナット１３０は収容体の頭部分１１２の方へ、収容体長手方向のスロット１１５に沿って長手方向に移動する。
駆動ナット１３０のこのような長手方向の動きにより、収容体の頭部分１１２の方へ進むようにコレット本体部１４０も一緒に引き込まれる。そして、駆動ナットの貫通穴１３２から脚部先端１４６が突き出るよう、コレット本体部の脚部１４２は外側へ（ネジ１２０によって）広げられる。
【００４６】
コレット本体部１４０が長手方向に収容体の頭部分１１２の方へ進むと、バネ１６０は拡張し始め、そして、ブロック１５０を押し先端１２４に接触させる。そしてこれは、ブロック１５０がコレット本体部１４０に対して分離する瞬間となる。
いくつかの実施例において、ブロック１５０がネジ先端１２４に接触する位置までバネ１６０が展開しても、ブロック１５０の位置を保持するために（図１５に示す）、バネ１６０の圧縮は弱まるものの、依然として押圧状態のままである。
【００４７】
駆動ナット１３０が長手方向に移動して、収容体の頭部分１１２（又は胴部１１４の根部分）に接触し始めるとき、コレット本体部１４０は、固定範囲の最大位置に到達する。
最大位置は、駆動ナット１３０とネジ１２０とがちょうど螺合可能に係合する位置から始まり、コレット本体部１４０の最大の移動可能な位置として規定される。
従って、コレット本体部１４０が最大位置に達するとき、締着具１００は実際に最小のスタック固定距離を有する。コレット本体部１４０が移動し収容体の頭部分１１２に接触し得る構成で、締着具１００は、超低スタック（積み重ね）高さでワークを固定するために用いられ得る。
【００４８】
図２４―２５は、収容体頭部１１２と突出した脚部先端１４６の間に一緒に固定される２つのワークを有する着脱可能な片側締着具の側面図を示す。
収容体頭部分１１２は、近位ワーク３１０に形成される傾斜した凹所内で適合するように、傾斜した頭部であってよい。従って、超低外形、又は平らな頭部の仮留め締着具を作り出すことができる。また、傾斜した頭部は、従来のキャップヘッドねじ頭１２２を受けるために、そこに形成される従来の円筒穴１１３（図２９に示す）を有することができる。
収容部の代わりにねじ頭１２２を回転させることによって、収容体の頭部分１１２と近接するワーク間の回転摩滅を、回避することができる。締付操作の間、収容体の回転を防止するために、収容体の意図しない回転を防止するツールを受けるための１つ以上のツール接合部分を、傾斜した頭部に形成してもよい。
【００４９】
図２６―３２は、より良い説明のための選択された要素のさまざまな局所的な等角図及び、締着具の機能図を示す。
具体的には、図２６は、クランプ脚部が拡張する前の、ネジ先端及びコレット本体部の局所的な等角図である。図２７は、ネジ先端と、脚部が展開されたコレットの局所的な等角図である。図２８は、ネジ先端と、コレット脚部が展開されたコレットの局所的な側面図である。図２９は、締着具及び駆動ナットの局所的な等角図である。図３０は、締着具及び駆動ナットの端面図である。図３１は、締着具、ネジ、及び駆動ナットの局所的な等角図である。図３２は、締着具頭部の端面図及び断面図である。
【００５０】
いくつかの実施例において、ネジ山付きのネジ１２０は、直接コレット本体部１４０と係合されることができる。例えばコレット本体部基部１４１は、ネジ山付きのネジ１２０と係合するためにネジ山付きでもよい。
コレット本体部１４０は、上述した実施例にて開示したようにネジ山付きのネジ１２０と面するコレット本体部基部１４１と反対方向に配置され得る。コレット脚部１４２及び拡張部の脚部先端１４６は、上述した実施例と同様な方法で駆動ナット１３０に連結する。
このような構成により、駆動ナット１３０は、収容頭部１１２に向かって長手方向に移動するコレット本体部（より詳しくは脚部先端）により引き込まれるので、ネジ山付きではなくてもよい。
【００５１】
本発明によって仮留め締着具を使用する方法に関して、この種の方法は、
コレットの脚部の先端がリトラクト位置（収束位置）にあるように、コレット本体部の脚部のネジとの接触部分をネジの小径部に位置させるステップと、
すべてのワーク孔に締着具の遠位端を嵌入するステップと、
締着具の近位端部の方へ駆動ナットを並進させるようにネジを回転させるステップと（それにより、コレット本体部の脚部は半径方向に移動し、コレット本体部の脚部先端が拡張する（拡がる）よう移動し）、
コレット本体部の脚部先端と遠位ワークの間で押圧接触するまで、締着具の近位端部の方へ駆動ナットを移動させ続けるステップ、とを含む。
【００５２】
当業者は、様々な構成で片側締着具が組み立て可能であると理解する。例えば片側締着具は、上述した実施例で開示されるのとは異なるよう構成されることができる。当業者は、片側締着具が異なる部品を更に組み込むことができるとも理解する。本発明の前述部は、明快さ及び理解のために記載された。様々な変更態様は、添付の請求項の範囲及び同等の範囲内で行われることができる。
【図１】
2019508647.tif 000003
【図２】
2019508647.tif 000004
【図３】
2019508647.tif 000005
【図４】
2019508647.tif 000006
【図５】
2019508647.tif 000007
【図６】
2019508647.tif 000008
【図７】
2019508647.tif 000009
【図８】
2019508647.tif 000010
【図９】
2019508647.tif 000011
【図１０】
2019508647.tif 000012
【図１１】
2019508647.tif 000013
【図１２】
2019508647.tif 000014
【図１３】
2019508647.tif 000015
【図１４】
2019508647.tif 000016
【図１５】
2019508647.tif 000017
【図１６】
2019508647.tif 000018
【図１７】
2019508647.tif 000019
【図１８】
2019508647.tif 000020
【図１９】
2019508647.tif 000021
【図２０】
2019508647.tif 000022
【図２１】
2019508647.tif 000023
【図２２】
2019508647.tif 000024
【図２３】
2019508647.tif 000025
【図２４】
2019508647.tif 000026
【図２５】
2019508647.tif 000027
【図２６】
2019508647.tif 000028
【図２７】
2019508647.tif 000029
【図２８】
2019508647.tif 000030
【図２９】
2019508647.tif 000031
【図３０】
2019508647.tif 000032
【図３１】
2019508647.tif 000033
【図３２】
2019508647.tif 000034
【国際調査報告】
2019508647.tif 000035